(57)【要約】【課題】  ＶＨＦ帯のＴＶ信号が完全停波した場合にはＶＨＦ増幅回路に対して無駄な電力を送り続けることを地上においての操作で中止できる増幅装置を提供しようとする。【解決手段】  高所に設置された増幅部において、ＵＨＦ増幅回路に対しては、電源部からの電圧が高低変動しても所定電圧を出力するようにした定電圧回路を介して電力を供給し、ＶＨＦ増幅回路に対しては、電源部からの電圧が高所定電圧の場合は所定電圧を出力するようにし、電源部からの電圧が所定電圧の場合は所定電圧を出力しないようにした電圧変更手段を介して電力を供給するようにし、地上における電源部においては、ＶＨＦ増幅回路を休止状態にする場合には、電圧切替手段を切り替えて所定電圧の電力を出力し、上記ＵＨＦ増幅回路の動作を続行させた状態で、ＶＨＦ増幅回路を休止状態にする。【選択図】    図５
2008252743.tif 000002
【特許請求の範囲】
【請求項１】
入力側がＶＨＦアンテナに連なるＶＨＦ信号入力端子に接続され、出力側が出力端子に接続されていているＶＨＦ増幅回路と、
入力側がＵＨＦアンテナに連なるＵＨＦ信号入力端子に接続され、出力側が上記出力端子に接続されているＵＨＦ増幅回路とを備える増幅部は、高所に配設されていて、増幅部から地上に配置される受像機に向けての信号は、上記の高所に配設されている出力端子と地上における受像機との間に備えさせる伝送線を通して伝達するようにし、
一方、地上においては電源部を備え、上記高所に備えさせている増幅部において必要とする電力の供給は、上記伝送線に重畳させて送出して、上記ＶＨＦ増幅回路と、ＵＨＦ増幅回路とを夫々作動させるようにしている増幅装置における電力供給方法において、
上記地上に備えさせる電源部には、出力させる直流電圧を、所定電圧と、所定電圧よりも高い高所定電圧とに高低切り替えできるようにした電圧切替手段を備えさせ、
一方、上記ＵＨＦ増幅回路に対しては、上記電源部からの電圧が高低変動しても所定電圧を出力するようにした定電圧回路を介して電力を供給し、
上記ＶＨＦ増幅回路に対しては、上記電源部からの電圧が高所定電圧の場合は所定電圧を出力するようにし、上記電源部からの電圧が所定電圧の場合は所定電圧を出力しないようにした電圧変更手段を介して電力を供給するようにし、常時は上記電源部から高所定電圧の電力を供給して、上記ＶＨＦ増幅回路とＵＨＦ増幅回路とを夫々作動させ、
上記電源部においては、上記高所に配設されているＵＨＦ増幅回路の動作を続行させた状態で、上記高所における上記ＶＨＦ増幅回路を休止状態にする場合には、電圧切替手段を切り替えて所定電圧の電力を出力し、上記ＵＨＦ増幅回路の動作を続行させた状態で、ＶＨＦ増幅回路を休止状態にすることを特徴とする増幅装置における電力供給方法。
【請求項２】
入力側がＶＨＦアンテナに連なるＶＨＦ信号入力端子に接続され、出力側が出力端子に接続されていているＶＨＦ増幅回路と、
入力側がＵＨＦアンテナに連なるＵＨＦ信号入力端子に接続され、出力側が上記出力端子に接続されているＵＨＦ増幅回路とを備える増幅部は、高所に配設されていて、増幅部から地上に配置される受像機に向けての信号は、上記の高所に配設されている出力端子と地上における受像機との間に備えさせる伝送線を通して伝達するようにし、
一方、地上においては電源部を備え、上記高所に備えさせている増幅部において必要とする電力の供給は、上記伝送線に重畳させて送出して、上記ＶＨＦ増幅回路と、ＵＨＦ増幅回路とを夫々作動させるようにしている増幅装置における電力供給方法において、
上記ＵＨＦ信号入力端子とＵＨＦ増幅回路との間には、ＵＨＦ帯域通過回路と、特定帯域低減回路とを選択利用可能に介在させると共に、
それらの両回路は、ＶＨＦ増幅回路に電力を供給している状態では、上記ＵＨＦ帯域通過回路が選択され、ＶＨＦ増幅回路に電力を供給していない状態では、特定帯域低減回路が選択されるようにしておき、
上記地上に備えさせる電源部には、出力させる直流電圧を、所定電圧と、所定電圧よりも高い高所定電圧とに高低切り替えできるようにした電圧切替手段を備えさせ、
上記ＶＨＦ増幅回路に対しては、上記電源部からの電圧が高所定電圧の場合は所定電圧を出力するようにし、上記電源部からの電圧が所定電圧の場合は所定電圧を出力しないようにした電圧変更手段を介して電力を供給するようにし、常時は上記電源部から高所定電圧の電力を供給して、上記ＶＨＦ増幅回路とＵＨＦ増幅回路とを夫々作動させ、
上記電源部においては、上記高所に配設されているＵＨＦ増幅回路の動作を続行させた状態で、上記高所における上記ＶＨＦ増幅回路を休止状態にする場合には、電圧切替手段を切り替えて所定電圧の電力を出力し、上記ＵＨＦ増幅回路の動作を続行させた状態で、ＶＨＦ増幅回路を休止状態にすると共に、ＶＨＦ増幅回路に電力を供給しないようにすることにより、上記ＵＨＦ信号入力端子とＵＨＦ増幅回路との間に上記特定帯域低減回路を介在させるようにしたことを特徴とする増幅装置における電力供給方法。
【発明の詳細な説明】
【技術分野】
【０００１】
本発明は、ＴＶ信号を増幅する増幅装置に関し、詳しくはＶＨＦ信号、ＵＨＦ信号等のＴＶ信号を高所に設けられた増幅部で増幅し、地上に設置されるテレビ受像機に向けてＴＶ信号を送るようにすると共に、地上から高所に設置した増幅部に向けて電力を送るようにした増幅装置及び増幅装置における電力供給方法に関する。
【背景技術】
【０００２】
従来より、ＶＨＦ信号、ＵＨＦ信号等のＴＶ信号を高所に設けられた増幅部で増幅し、地上に設置されるテレビ受像機に向けてＴＶ信号を送るようにすると共に、地上から高所に設置した増幅部に向けて電力を送るようにした増幅装置は広く知られている。例えばこの種の装置においては特許文献１に示されるものがある。
上記特許文献１に開示されている増幅装置において、増幅部は、高所に配設されている。そして、入力側がＶＨＦアンテナに連なるＶＨＦ信号入力端子に接続され、出力側が出力端子に接続されていているＶＨＦ増幅回路と、入力側がＵＨＦアンテナに連なるＵＨＦ信号入力端子に接続され、出力側が上記出力端子に接続されているＵＨＦ増幅回路と、入力側がＢＳ・ＣＳアンテナに連なるＢＳ・ＣＳ信号入力端子に接続され、出力側が上記出力端子に接続されているＢＳ・ＣＳ増幅回路とを備える増幅部を備える。
【０００３】
しかも、その高所に配設されている増幅部から地上に配置される受像機に向けての信号は、上記の出力端子と受像機との間に備えさせる伝送線を通して伝達するようにしている。
さらに、地上においては、電源部を備え、交流電源の電力を、技術常識に基づき所定低電圧の電力に変えて上記伝送線に重畳させて高所に配置させている上記増幅部に送出するようにしてある。
上記のように増幅部を高所に配置すると、アンテナと増幅部の距離を近くできるためアンテナから入力される微弱なＴＶ信号を至近距離において増幅し、良質のＴＶ信号を受像機に向けて送出することのできる利点がある。
【０００４】
【特許文献１】特開２００４−２０１２５４公報
【発明の開示】
【発明が解決しようとする課題】
【０００５】
このような構成の増幅装置では、将来ＶＨＦ帯のＴＶ放送が終了し、ＶＨＦ帯のＴＶ信号が完全停波した場合においても、上記ＶＨＦ増幅回路に対して地上から電力を送り続けることになり、ＶＨＦ増幅回路において無駄な電力は消費され続けることになる問題点がある。
しかも上記のＶＨＦ帯のＴＶ信号が完全停波した場合において、仮に、ＶＨＦ増幅回路の電力供給を中止しようとしても、ＵＨＦ増幅回路には電力を送り続けなければならないので、ＶＨＦ増幅回路の電力供給のみを中止することのできない悩みがある。
最後の手段として、高所に配設されている増幅部のケースを開いてＶＨＦ増幅回路の電力供給点を切断することも考えられるが、高所、例えば屋根上に上がって切断作業をすることは、素人には危険を伴い、実用的でない。
【０００６】
更に将来、例えば２０１１年にＶＨＦ帯のＴＶ放送が終了し、ＶＨＦ帯のＴＶ信号が完全停波すると同時期に、現在のＵＨＦ帯における地上アナログ放送と地上デジタル放送が利用している周波数帯域（４７０〜７７０MHz：図２（Ａ）参照）において、地上アナログ放送が完全停波し、それを原因として、現在利用されているＵＨＦ帯における４７０〜７７０MHzの内、図２（Ｂ）に示される７１０〜７７０MHzの周波数帯が、他のサービスに割当てられた場合、上記地上デジタル放送の受信に新たな障害が発生する問題点がある。
このような地上デジタル放送の受信に生ずる障害の除去に関しては専門家の助けを必要とし、余分な出費が必要となる問題点がある。
【０００７】
本件出願の目的は、将来ＶＨＦ帯のＴＶ放送が終了し、ＶＨＦ帯のＴＶ信号が完全停波した場合にはＶＨＦ増幅回路に対して無駄な電力を送り続けることを中止できる増幅装置を提供しようとするものである。
他の目的は、ＶＨＦ増幅回路に対して無駄な電力を送り続けることを中止する操作が地上においてすることのできる増幅装置を提供しようとするものである。
他の目的は、現在のＵＨＦ帯における地上アナログ放送が完全停波し、地上デジタル放送が残された場合においても、地上デジタル放送の受信に新たな障害が生じないような手段を地上において施すことのできるようにもできる増幅装置を提供しようとするものである。
他の目的及び利点は図面及びそれに関連した以下の説明により容易に明らかになるであろう。
【課題を解決するための手段】
【０００８】
本発明の増幅装置における電力供給方法は、
入力側がＶＨＦアンテナに連なるＶＨＦ信号入力端子に接続され、出力側が出力端子に接続されていているＶＨＦ増幅回路と、
入力側がＵＨＦアンテナに連なるＵＨＦ信号入力端子に接続され、出力側が上記出力端子に接続されているＵＨＦ増幅回路とを備える増幅部は、高所に配設されていて、増幅部から地上に配置される受像機に向けての信号は、上記の高所に配設されている出力端子と地上における受像機との間に備えさせる伝送線を通して伝達するようにし、
一方、地上においては電源部を備え、上記高所に備えさせている増幅部において必要とする電力の供給は、上記伝送線に重畳させて送出して、上記ＶＨＦ増幅回路と、ＵＨＦ増幅回路とを夫々作動させるようにしている増幅装置における電力供給方法において、
上記ＵＨＦ信号入力端子とＵＨＦ増幅回路との間には、ＵＨＦ帯域通過回路と、特定帯域低減回路とを選択利用可能に介在させると共に、
それらの両回路は、ＶＨＦ増幅回路に電力を供給している状態では、上記ＵＨＦ帯域通過回路が選択され、ＶＨＦ増幅回路に電力を供給していない状態では、特定帯域低減回路が選択されるようにしておき、
上記地上に備えさせる電源部には、出力させる直流電圧を、所定電圧と、所定電圧よりも高い高所定電圧とに高低切り替えできるようにした電圧切替手段を備えさせ、
上記ＶＨＦ増幅回路に対しては、上記電源部からの電圧が高所定電圧の場合は所定電圧を出力するようにし、上記電源部からの電圧が所定電圧の場合は所定電圧を出力しないようにした電圧変更手段を介して電力を供給するようにし、常時は上記電源部から高所定電圧の電力を供給して、上記ＶＨＦ増幅回路とＵＨＦ増幅回路とを夫々作動させ、
上記電源部においては、上記高所に配設されているＵＨＦ増幅回路の動作を続行させた状態で、上記高所における上記ＶＨＦ増幅回路を休止状態にする場合には、電圧切替手段を切り替えて所定電圧の電力を出力し、上記ＵＨＦ増幅回路の動作を続行させた状態で、ＶＨＦ増幅回路を休止状態にすると共に、ＶＨＦ増幅回路に電力を供給しないようにすることにより、上記ＵＨＦ信号入力端子とＵＨＦ増幅回路との間に上記特定帯域低減回路を介在させるようにしたものであればよい。
【発明の効果】
【０００９】
以上のように本発明は、地上に備えさせる電源部において出力させる直流電圧を、所定電圧よりも高い高所定電圧から、やや電圧値の低い所定電圧に切り替えるだけの操作で、高所に存在するＶＨＦの増幅回路の電源を遮断できる特長があり、ＵＨＦ増幅回路を損傷させることなくＶＨＦの増幅回路に対する無駄な電力を節減させる上に大きな効果がある。
その上、高所に存在するＶＨＦの増幅回路の電源を遮断する場合、地上において作業することができるので、その操作は極めて安全に行うことのできる作業上の効果もある。
【００１０】
さらに将来ＶＨＦ帯のＴＶ放送が終了し、ＶＨＦ帯のＴＶ信号が完全停波すると同時に、現在のＵＨＦ帯における地上アナログ放送と地上デジタル放送が利用している周波数帯域において、地上アナログ放送が完全停波し、それを原因として、現在利用されているＵＨＦ帯における７１０〜７７０MHzの周波数帯が、他のサービスに割当てられた場合でも、上記地上デジタル放送の受信に対する新たな障害は、地上における操作でもって、予め除去しておくことのできる効果もある。
【発明を実施するための最良の形態】
【００１１】
以下本発明の実施の形態を図面を用いて説明する。図１は、家屋と、家屋における高所に配置された複数種のアンテナ及びアンテナと増幅部との位置関係の概念図。図２はＵＨＦ帯における地上アナログ放送と地上デジタル放送が利用している周波数帯域と、将来地上デジタル放送の受信に用いられる周波数帯域との比較図、図３はＶＨＦ帯のＴＶ信号とＵＨＦ帯のＴＶ信号との受信回路と、それらの回路に対する電力の供給回路を説明する為の回路図、図４は電圧変更手段の回路図を示す。図５はＶＨＦ帯のＴＶ信号とＵＨＦ帯のＴＶ信号とＢＳ／ＣＳ帯の受信回路と、それらの回路に対する電力の供給回路を説明する為の回路図、図６は、図３、図５に示される選択手段とは異なる回路構成の例を示す選択手段の回路図、図７は共に電源部のケースと電圧切替手段の関係を説明する為の斜視図である。
なお上記図に表れる技術的事項においては、電源部１６，選択手段３２、電圧変更手段４６に係わる構成についての以下の説明に於て加えられる新規な技術的事項（部材構成、組合せ、機能等）の説明に係わる事項は別論として、他の技術的事項は特許文献１に開示される等して、当業者間においては広く知られているので、その点に関する公知の技術的事項についての説明は重複するので、この明細書においては重複する説明を一部省略する。
【００１２】
図１において、１は建造物として例示する家屋の外形を示し、２は、家屋１の屋根の上に樹立させた支柱を示す。３、４、５、８、９は、高所に配設された周知のＶＨＦアンテナ、ＵＨＦアンテナ、BS・CSアンテナ、増幅部９を内蔵するケース、増幅部等を示す。3a、4a、5a、１１、１２は、増幅部９のＶＨＦ入力端子、ＵＨＦ入力端子、BS・CS入力端子、出力端子、伝送線（同軸ケーブル）等を示す。家屋１の内の１５、１６、１７、２０、２１は夫々周知の分配器、電源部（電源供給装置）、テレビ受像機、テレビ端子、電源出力端子を示し、18、18aは同軸ケーブルを示す。
なお家屋１の内の同軸ケーブル１８、１２は、図３からも明らかなように電源部１６から高所における増幅部９において必要とする電力を重畳させて送出するのに用いる。
【００１３】
次に上記増幅部９について説明する。これは、例えば図３、５から明らかなように入力側がＶＨＦアンテナ３に連なるＶＨＦ信号入力端子3aに接続され、出力側が出力端子１１に接続されていているＶＨＦ増幅回路２５と、入力側がＵＨＦアンテナ４に連なるＵＨＦ信号入力端子４ａに接続され、出力側が上記出力端子１１に接続されているＵＨＦ増幅回路３５を備える。更には図５のように、入力側がＢＳ・ＣＳアンテナに連なるＢＳ・ＣＳ信号入力端子5aに接続され、出力側が上記出力端子１１に接続されているＢＳ・ＣＳ増幅回路４２とを備える。
図３、５の増幅部９は、建造物の高所に配設されていて、増幅部９から地上に配置される受像機１７に向けての信号は、上記の高所に配設されている出力端子１１と地上における受像機１７との間に備えさせる伝送線１２を通して伝達するようにしてある。
一方、地上においては電源部１６を備え、上記高所に備えさせている増幅部９において必要とする電力は、上記伝送線１２に重畳させて送出し、図示のように接続されて上記ＶＨＦ増幅回路２５と、ＵＨＦ増幅回路３５と、ＢＳ・ＣＳ増幅回路４２とを夫々作動させるようにしてある。
【００１４】
なお上記ＶＨＦ信号入力端子3aと出力端子１１との間に接続されているＶＨＦ増幅回路２５と、上記ＵＨＦ信号入力端子4aと出力端子１１との間に接続されているＵＨＦ増幅回路３５との夫々前後に配置する回路としては周知のように種々な要求に対応して好みの回路を備えさせればよい。図３、５においては次のような簡易な回路を例示した。図３、５において２６、２７、２８は周知のＶＨＦ帯通過フィルタと、ＶＨＦ・ＵＨＦ帯通過フィルタと、電源分離フィルタの存在を示し、また３１、３６は、ハイパスフィルタ、ＵＨＦ帯通過フィルタ等の存在を示した。この外に夫々必要に応じて図示外の周知の回路要素を含めて回路構成を行うと良い。
【００１５】
４６は、電圧変更手段を示し、電圧検出部46aと、電圧制御部46bとを備える（図４参照）。常態においては、端子７１から入力されるＤＣ２０Ｖの電圧はトランジスタ３０を経由して端子７２に出力される。この場合、電圧検出部46aのツェナ電圧が３Ｖのツェナダイオード48aと、電圧制御部46bのツェナ電圧が１５Ｖのツェナダイオード48bとが図４に表れているように接続されているため、端子７２に出力される電圧は、ＤＣ１５Ｖに降下した所定の電圧になる。
従って上記構成によると、図３、５の回路図から明らかなように、ＶＨＦ増幅回路２５と、ＵＨＦ増幅回路３５は、所定電圧の電力を受けて適正に動作するので、ＶＨＦアンテナ３に連なるＶＨＦ信号入力端子3aから上記出力端子１１に適正なＶＨＦ信号を、ＵＨＦアンテナ４に連なるＵＨＦ信号入力端子４ａから上記出力端子１１に適正なＵＨＦ信号を夫々出力でき、地上の受像機１７に適正な信号を届けることができるようにしてある。
【００１６】
次に上記端子７１から入力される電圧が、地上における回路切替器５６を切り替えることにより降下し、ＤＣ１５Ｖの所定電圧になった場合は、上記電圧検出部46aのツェナ電圧が３Ｖのツェナダイオード48aと、電圧制御部46bのツェナ電圧が１５Ｖのツェナダイオード48bとの存在により、合算されるツェナ電圧は１８Ｖとなり、このツェナ電圧は、端子７１から入力される電圧のＤＣ１５Ｖ（所定電圧）よりも高くなるため、トランジスタ３０のコレクタ30cの電圧は低く、トランジスタ３０の機能は、スイッチング効果を発揮し、ここで回路遮断を行う。
従って端子７２においては電圧がなくなり、ＶＨＦ増幅回路２５に対する電力の供給及び選択手段３２におけるリレー37aに対する電力は遮断され、ＶＨＦ増幅回路２５は停止し、特定帯域低減回路３９が選択利用されることになる。
【００１７】
また上記ＢＳ・ＣＳ信号入力端子5aと出力端子１１との間に接続されているＢＳ・ＣＳ増幅回路４２の前後に配置する回路としては周知のように種々な回路が知られているので種々な要求に対応して好みの回路を備えさせればよい。図５においては、ＢＳアンテナに向けて電力を供給する為の電源分離フィルタ４０、定電圧回路４５、４７、中間周波数帯通過フィルタ（１０３２〜２６０２MHz）４１、ハイパスフィルタ（BS・CS信号通過用）４３等を図示のように例示した。図５のように、さらには公知の回路要素を加えることによって回路構成することによってＢＳ・ＣＳアンテナで受信したテレビ信号は、端子5aから入り、増幅されて出力端子１１に至り、地上の受像機１７に適正な信号を届けることができる。
【００１８】
次に、上記ＵＨＦ信号入力端子4aとＵＨＦ増幅回路３５との間には、図３、５、６から明らかなようにＵＨＦ帯域通過回路３８と、特定帯域低減回路３９と、それらの両回路を選択利用可能に切り替える為の切替手段３７とを備えている選択手段３２が介在させてある。
上記切替手段３７は、ＶＨＦ増幅回路２５に電力が供給されている状態では、ＵＨＦ帯域通過回路３８を利用可能に選択し、上記ＶＨＦ増幅回路２５に電力が供給されない状態では、特定帯域低減回路３９が選択利用されるように構成してある。
上記ＵＨＦ帯域通過回路３８は、ＵＨＦ信号入力端子４ａに連なる入力端３３と、ＵＨＦ増幅回路３５に連なる出力端３４との間に介在させるもので、切替スイッチ37b を閉じた状態（実線）で用いるものである。
【００１９】
上記特定帯域低減回路３９は、図２（B）に表れている地上デジタル放送帯（470〜710MHz）の右側に表示した帯域、即ち、図２（A）のアナログ放送終了後に他へ転用されるであろうところの帯域に入来することが予想される妨害波を低減させるためのバンドストップ用のフィルタの存在を示し、例えばバンドエリミネータフィルタ、トラップ回路など任意の回路が用いられる。
この特定帯域低減回路３９はＵＨＦ信号入力端子４ａに連なる入力端３３と、ＵＨＦ増幅回路３５に連なる出力端３４との間に介在させるもので、切替スイッチ37b を波線で表示した側（図３、５において下側）に切り替えて閉じた状態で用いるものである。すると当然のことながら、ＵＨＦ増幅回路３５に入力される上記妨害波は低減され、ＵＨＦ増幅回路３５は望ましい動作状態になる。
【００２０】
図３、５に示される上記切替手段３７は、例えば説明を簡便にするためにリレー回路を用いた例を示す。コイル37a は、アース37cと電源端子37e との間に接続されている。電源端子37eはＶＨＦ増幅回路２５に供給される電力と同じ電力が供給されるに接続されている。従ってＶＨＦ増幅回路２５に電力が供給されている状態では、切替スイッチ37bは実線の位置で閉じた状態となり、ＵＨＦ帯域通過回路３８を利用可能に選択される。上記電力、例えば電圧が１５ｖの電力が供給されない状態では、切替スイッチ37bは破線の位置で閉じた状態となり、特定帯域低減回路３９が選択利用されることになる。
【００２１】
次に図３、５、図７に示される電源部１６は地上に備えさせる。電源部１６には、ＡＣプラグ５０を通して受け取る交流電源（商用周波数）の電力を、直流の電力にする為の整流回路５４を備えさせる。
図３、５、図７に示される電源部１６の個々の部材は広く知られているものであって、16aは任意の硬質材料例えばプラスチック材で形成されたケース本体、16bは凹状に形成されたケースの端子収容室16cを覆う為の開閉自在のケースの蓋、２１は電源出力端子（テレビ信号受入端子）、２２は電源分離フィルタ、２３はテレビ端子、５１は電圧降下用のトランスを夫々示す。51a、51bはトランスのタップ（中間の口出し点）を示し、51aはＤＣ１５Ｖを電源出力端子２１に送出するためのもの、51bはＤＣ２０Ｖを電源出力端子２１に送出するためのものである。５５はこれらの電圧を切り替えるための電圧切替手段を示す。
【００２２】
次に、上記電源部１６においては、図３、５、図７に示されるように上記電源出力端子２１に供給される回路に対して回路切替器５６を介設する。この回路切替器５６は、必要な時点で電流が遮断されればよいので、例えば図３、５、図７に示されるように汎用の入り切り可能なスイッチを組み合わせて利用しても良いし、市販の切り替えスイッチを用いて構成しても良い。
【００２３】
上記構成のものについて動作を説明する。
ＡＣプラグ５０から入来する商用電源は、周知のようにトランス５１で低圧となり、整流器５４において整流され、その電力は端子２１から出力される。この場合切替器５６がDC20V側に選択されていると、端子２１の電圧は、「高所定電圧（ＤＣ20Ｖ）」となっており、図３、５に示される回路の接続状態から明らかなように増幅部９に向かう。この場合途中に低電圧回路４７が存在するので周知のように電圧は、「所定電圧（ＤＣ１５Ｖ）」に降下して対応するＵＨＦ増幅回路３５、BS・CSの増幅回路４２等に給電される。
また端子２１の電圧は、高所定電圧（ＤＣ20Ｖ）になっていても、途中に電圧変更手段４６が存在するので周知のように電圧は、所定電圧（ＤＣ１５Ｖ）に降下して、対応する
電力はＶＨＦ増幅回路２５、選択手段３２の電源端子37eに供給され、ＶＨＦ増幅回路２５を作動させると共に選択手段３２におけるリレー37a、切替スイッチ37bを作動させて、図３、５に示されるように、ＵＨＦ信号入力端子4aとＵＨＦ増幅回路３５との間に、ＵＨＦ帯域通過回路３８を介在させる。
【００２４】
この状態では、ＶＨＦアンテナ３、ＵＨＦアンテナ４、BS・CSアンテナ５から増幅部９の夫々のアンテナに係わる入力端子3a、4a、5aに対して対応するテレビ信号が入力される。増幅部９においては図３、４に示されるような構成であるから、入力端子3aからのテレビ信号はＶＨＦ増幅回路２５で増幅され出力端子１１を、また入力端子4aからのテレビ信号はＵＨＦ増幅回路３５で増幅され出力端子１１を、また入力端子5aからのテレビ信号はＢＳ増幅回路４２で増幅され出力端子１１を夫々経由してテレビ受像機１７に適正なテレビ信号を夫々送る。
【００２５】
このような受信状態において、例えば２０１１年にＶＨＦ帯のＴＶ放送が終了すると同時に、ＵＨＦ帯における地上アナログ放送が完全停波した場合には、上記電源部１６における回路切替器５６を切り替える。すると、端子２１から出力される電圧は「所定電圧（ＤＣ１５Ｖ）」に降下し、この電圧による電力は図３、５から明らかなように定電圧回路４７を経由してＵＨＦ増幅回路３５、ＢＳ増幅回路４２に供給される。一方、電圧変更手段４６における端子７２からは、前述したように電圧は生じないので、結局、高所におけるＶＨＦ増幅回路２５は休止状態となり、これに対する電力の供給は終了する。よって以後の電力消費は生じない。
また同時に、選択手段３２におけるリレー37aに対する電力供給も終了し、切替スイッチ37bを作動させて、図３、４に破線で示すように、ＵＨＦ信号入力端子4aとＵＨＦ増幅回路３５との間に、特定帯域低減回路３９を介在させる。これによりＵＨＦ信号入力端子4aから入来する信号の内、前述のように妨害波となる恐れのある帯域を低減（除去）させる。
【００２６】
次に、図３及び図５の選択手段３２は、切替手段において簡便のためにリレー３７に係わる構成を用いた例を示すものであるが、この点の回路構成においては、任意周知の回路構成を用いて全く同様の機能を発揮させることが出来る。例えば図６に示されるものであっても全く同様の機能を発揮させることができる。
そこでダイオード（スイッチ）37g 、37h と、トランジスタ３０を用いて切替手段３７を構成した点において異なる例を示す図６について説明する。
図６に示される選択手段３２は、上記地上の電源部１６において、上記高所に配設されているＵＨＦ増幅回路３５の前段にＵＨＦ帯域通過回路３８を介在させた状態で動作を続行させ、その状態で上記高所における上記ＶＨＦ増幅回路２５を休止状態にする場合に、ＶＨＦ増幅回路に供給される電力を、上記高所に配設されている増幅部に送出させないようにして上記ＵＨＦ増幅回路の動作を続行させた状態でＶＨＦ増幅回路を休止状態にすると共に、ＶＨＦ増幅回路に電力を供給しないようにすることにより、上記ＵＨＦ信号入力端子4aとＵＨＦ増幅回路３５との間に特定帯域低減回路３９を選択的に介在出来るようにしたものである。
なお説明にあたり、図６において前述の図１〜図５及び図７のものと機能、性質又は特徴等が同一又は均等構成と考えられる部分には、前述の図１〜図５及び図７のものと同一の符号を付して重複する説明を省略する。
【００２７】
切替手段３７は、図５に示す場合と同様にＵＨＦ帯域通過回路３８と、特定帯域低減回路３９を備える。
上記切替手段３７は、ＶＨＦ増幅回路２５に電力が供給されている状態では、ＵＨＦ帯域通過回路３８を利用可能に選択し、上記電力が供給されない状態では、特定帯域低減回路３９が選択利用されるように構成してある。
図６において37f は定電圧回路４７に接続されている電源端子を示し、37cはアースを示す。６０、６１、６２、６３は、周知の回路要素を示し、高周波通過・直流阻止型コンデンサー、高周波阻止・直流通過型コイル、バイアス用抵抗、干渉防止用の抵抗を夫々示す。
【００２８】
37g は、電源端子37eに電圧が印加されて通電状態にある場合は高周波を通過させ、電圧の印加が無くなった場合は高周波を通過させない性質のＰＩＮダイオード（スイッチ）を示し、
37h は、電源端子37fに電圧（＋１５V）が印加され、しかもスイッチ機能を有するトランジスタ３０が通電状態にあるという条件の場合は高周波を通過させ、トランジスタ３０のスイッチ機能が遮断状態になった場合は高周波を通過させない性質のＰＩＮダイオード（スイッチ）を示す。
【００２９】
図６に示されるトランジスタ３０は、周知のスイッチ機能を有するものであればよい。例えば図示のものは、ＮＰＮ形のシリコントランジスタで構成されており、ベース30bとエミッタ30eとの間の電圧が0.6V〜0.7V近辺以上に上昇するか、又は0.6V〜0.7V近辺以下に降下するかによってコレクタ30cの電流が流れたり（ON）、流れなかったり（OFF）するスイッチ機能を利用するものである。
【００３０】
次に上記図６の選択手段３２において、ＵＨＦ帯域通過回路３８が選択利用される場合について説明する。
電源端子37eにＶＨＦ増幅回路２５に供給され電圧が掛かっている場合は、アース37cと電源端子37eの間に電流が流れる。従って、
入力端３３からのＵＨＦの高周波信号はコンデンサー６０、ダイオード37g、コンデンサー６０を経由して、即ち、ＵＨＦ帯域通過回路３８を通過してＵＨＦ増幅回路３５に至る。
この場合、電源端子37fには15Vの電圧が加わっており、電源端子37eには15Vの電圧が加わっている。トランジスタ３０のベース30bに連なる干渉防止用の抵抗６３とバイアス用抵抗６２の値を対応選定することにより、干渉防止用抵抗６３とバイアス用抵抗６２の間には、実質的な電圧は生じない（少なくともベース30bとエミッタ30eとの間の電圧を0.6V近辺以下にすることが出来る）。従って、トランジスタ３０はOFF状態となり、ダイオード（スイッチ）37h、37hに電流を流すことはなく、入力端３３からのＵＨＦの高周波信号は、特定帯域低減回路３９には流れない。
【００３１】
次に上記図６の選択手段３２において、特定帯域低減回路３９が選択利用される場合について説明する。
電源端子37eにおいて、ＶＨＦ増幅回路２５に供給される電圧が遮断された場合は、アース37cと電源端子37eの間にあるダイオード37gには電流は流れない。従って、入力端３３からのＵＨＦの高周波信号はダイオード37gで遮断される。
【００３２】
一方、ＶＨＦ増幅回路２５に供給される電力（電圧）が無くなると、電源端37eには電圧が無くなる。従って、前述のようにトランジスタ３０のベース30bに連なる干渉防止用の抵抗６３とバイアス用抵抗６２の値を対応選定しておくことにより、干渉防止用抵抗６３とバイアス用抵抗６２の間の電圧を実質的に高めることができる。少なくともベース30bとエミッタ30eとの間の電圧を0.7V近辺以上にすることが出来るので、トランジスタ３０をONの状態にし、端子37fとアース37cとの間、即ち、コイル６１、ダイオード37h、コイル６１、トランジスタ３０、コイル６１、ダイオード37h、コイル６１を通電状態にする。
その結果、入力端３３からのＵＨＦの高周波信号は、コンデンサー６０、ダイオード37h、コンデンサー６０、特定帯域低減回路３９、コンデンサー６０、ダイオード37h、コンデンサー６０を経由して、即ち、特定帯域低減回路３９を通過してＵＨＦ増幅回路３５に至る。
【図面の簡単な説明】
【００３３】
【図１】は、家屋と、家屋における高所に配置された複数種のアンテナ及びアンテナと増幅部との位置関係を概念図。
【図２】はＵＨＦ帯における地上アナログ放送と地上デジタル放送が利用している周波数帯域と、将来地上デジタル放送の受信に用いられる周波数帯域との比較図、
【図３】はＶＨＦ帯のＴＶ信号とＵＨＦ帯のＴＶ信号との受信回路と、それらの回路に対する電力の供給回路を説明する為の回路図、
【図４】は電圧変更手段の回路図を示す。
【図５】はＶＨＦ帯のＴＶ信号とＵＨＦ帯のＴＶ信号とＢＳ／ＣＳ帯の受信回路と、それらの回路に対する電力の供給回路を説明する為の回路図、
【図６】は、図３に示される選択手段とは異なる回路構成の例を示す選択手段の回路図である。
【図７】は、電源部のケースと電圧切替手段の関係を説明する為の斜視図。
【符号の説明】
【００３４】
１・・・建造、２・・・支柱、３・・・ＶＨＦアンテナ、3a・・・ＶＨＦ入力端子、４・・・ＵＨＦアンテナ、4a・・・ＵＨＦ入力端子、５・・・BS・CSアンテナ、5a・・・BS・CS入力端子、８・・・ケース、９・・・増幅装置、１１・・・出力端子、１２・・・伝送線（同軸ケーブル）、１５・・・分配器、１６・・・電源部（電源供給装置）、16aはケース本体、16bはケースの蓋、16cはケースの端子収容室、１７・・・テレビ受像機、18、18a、・・・同軸ケーブル、２０・・・テレビ端子、２１・・・電源出力端子、２２・・・電源分離フィルタ、２３・・・テレビ端子、２５・・・ＶＨＦの増幅回路、２６・・・ＶＨＦ帯通過フィルタ、２７・・・ＶＨＦ・ＵＨＦ帯通過フィルタ、２８・・・電源分離フィルタ、３０・・・トランジスタ、３１・・・ハイパスフィルタ、
３２・・・選択手段、３３・・・入力端、３４・・・出力端、３５・・・ＵＨＦの増幅回路、３６・・・ＵＨＦ帯通過フィルタ、３７・・・切替手段（リレー）、37a・・・コイル、37b・・・切替スイッチ（実線）、37c・・・アース、37d・・・切替後のスイッチ（破線）、37e・・・電源端子、37f・・・電源端子（正極）、37g・・・ダイオード（スイッチ）、37h・・・ダイオード（スイッチ）、３８・・・ＵＨＦ帯域通過回路、３９・・・特定帯域低減回路、４０・・・電源分離フィルタ、４１・・・中間周波数帯通過フィルタ（１０３２〜２６０２MHz）４２・・・BS・CSの増幅回路、４３・・ハイパスフィルタ、４５・・・定電圧回路、４６・・・電圧変更手段、４７・・・定電圧回路、５０・・・ＡＣプラグ、５１・・・トランス、５４・・・整流器、５５・・・電圧切替手段、５６・・・回路切替器、６０・・・高周波通過・直流阻止型コンデンサー、６１・・・高周波阻止・直流通過型コイル、６２・・・バイアス用抵抗、６３・・・干渉防止用の抵抗。
【図１】
2008252743.tif 000003
【図２】
2008252743.tif 000004
【図３】
2008252743.tif 000005
【図４】
2008252743.tif 000006
【図５】
2008252743.tif 000007
【図６】
2008252743.tif 000008
【図７】
2008252743.tif 000009